(57)【特許請求の範囲】
【請求項１】
外窓と、内窓と、外窓と内窓とを連結する連結枠とを備え、外窓と内窓と連結枠とで中間空気層を形成しており、連結枠は上下左右枠の少なくとも一つの枠が連結枠本体と、カバー材とからなり、連結枠本体は内部に吸音材を有し且つ室内側が開口しており、カバー材は連結枠本体の開口を閉塞しており、連結枠本体とカバー材とで枠内空気層を形成しており、吸音材は内周側面が中間空気層に連通し且つ室内側面が枠内空気層に連通していることを特徴とする二重サッシ。
【請求項２】
外窓と、内窓と、外窓と内窓とを連結する連結枠とを備え、外窓と内窓と連結枠とで中間空気層を形成しており、連結枠は上下左右枠の少なくとも一つの枠が内部に吸音材を有し室内側が開口しており、内窓は連結枠の開口を閉塞するカバー部を有し且つカバー部は内部に枠内空気層を形成しており、吸音材は内周側面が中間空気層に連通し且つ室内側面が枠内空気層に連通していることを特徴とする二重サッシ。
【発明の詳細な説明】
【技術分野】
【０００１】
本発明は、二重サッシに関する。
【背景技術】
【０００２】
特許文献１には、外窓と内窓とを連結枠で連結してなる二重サッシが開示されている。
また、特許文献２には、内障子と外障子との間の中間空気層に面するサッシ枠内周面に、吸音材を設けた二重サッシが開示されている。
【０００３】
【特許文献１】特開平１０−９６３７０号公報
【特許文献２】特開２００２−６１４６５号公報
【発明の開示】
【発明が解決しようとする課題】
【０００４】
しかし、特許文献１のように内窓と外窓とを連結枠で連結してなる二重サッシでは、内窓と外窓との間の中間空気層により遮音効果を得ることができるが、中間空気層のみでは遮音性能に限界がある。
一方、特許文献２では、内障子と外障子との間の中間空気層に面するサッシ枠内周面に、吸音材を配置して遮音効果を高めているが、サッシ枠内周面に吸音材を配置しただけでは、高速道路騒音や航空機騒音に多く含まれる周波数成分（高周波域）及び一般道路騒音や電車騒音に多く含まれる周波数成分（低周波域）の両方に対して十分な遮音効果を得ることができないという問題がある。更に、サッシ枠内周面に吸音材を設けた場合は、吸音材が外部から見えるので外観を損なうという問題点がある。
また、要求される遮音性能や、外窓と内窓との窓種は、施行場所によって要求が異なり、遮音性能や窓種の要求に容易に対応できることが望まれている。
【０００５】
そこで、本発明は、外窓と内窓との窓種や遮音性能の要求に容易に対応でき、遮音効果に優れ且つ外観が良い二重サッシの提供を目的とする。
【課題を解決するための手段】
【０００６】
【０００７】
請求項１に記載の発明は、外窓と、内窓と、外窓と内窓とを連結する連結枠とを備え、外窓と内窓と連結枠とで中間空気層を形成しており、連結枠は上下左右枠の少なくとも一つの枠が連結枠本体と、カバー材とからなり、連結枠本体は内部に吸音材を有し且つ室内側が開口しており、カバー材は連結枠本体の開口を閉塞しており、連結枠本体とカバー材とで枠内空気層を形成しており、吸音材は内周側面が中間空気層に連通し且つ室内側面が枠内空気層に連通していることを特徴とする。
【０００８】
請求項２に記載の発明は、外窓と、内窓と、外窓と内窓とを連結する連結枠とを備え、外窓と内窓と連結枠とで中間空気層を形成しており、連結枠は上下左右枠の少なくとも一つの枠が内部に吸音材を有し室内側が開口しており、内窓は連結枠の開口を閉塞するカバー部を有し且つカバー部は内部に枠内空気層を形成しており、吸音材は内周側面が中間空気層に連通し且つ室内側面が枠内空気層に連通していることを特徴とする。
【発明の効果】
【０００９】
請求項１に記載の発明によれば、連結枠には上下左右枠の少なくとも一つの枠の内部に吸音材と枠内空気層とを有しており、吸音材は内周側面が中間空気層に連通すると共に室内側面が枠内空気層に連通しているので、中間空気層に伝播した音は吸音材と枠内空気層とによって減衰でき、高い遮音効果を得ることができる。
また、吸音材のみでは高周波音しか減衰できないが、連結枠内に枠内空気層と吸音材とを設けることにより、低周波音も合わせて減衰できる。これにより、高周波域及び低周波域の両方に対して効果的な遮音を図ることができる。
吸音材は連結枠内に設けており、外部から吸音材が見え難くいので、外観が良い。
連結枠に吸音材と枠内空気層を設けているから、内窓及び外窓のそれぞれを、引き違いサッシや嵌め殺サッシ等の各種の窓種を任意に選択して施行することができる。
吸音材の種類や量、枠内空気層の体積や形状、窓間隔等が異なる連結枠を用いることにより、異なる遮音性能の要求に容易に対応することができる。
既存の外窓に連結枠を用いて内窓を取付けることにより簡単に遮音性の高い二重サッシにすることができる。
【００１０】
連結枠を複数の部材に分割しているので、施行やメンテナンス時に取扱う部材を小型にできるから施行やメンテナンスが簡単である。また、カバー材を外して連結枠内を露出できるので、連結枠内のメンテナンスがし易い。
【００１１】
請求項２に記載の発明によれば、連結枠には上下左右枠の少なくとも一つの枠の内部に吸音材を有しておりカバー部の内部に枠内空気層を有しており、吸音材は内周側面が中間空気層に連通すると共に室内側面が枠内空気層に連通しているので、中間空気層に伝播した音は吸音材と枠内空気層とによって減衰でき、高い遮音効果を得ることができる。
また、吸音材のみでは高周波音しか減衰できないが、カバー部内に枠内空気層を設け連結枠内に吸音材を設けることにより、低周波音も合わせて減衰できる。これにより、高周波域及び低周波域の両方に対して効果的な遮音を図ることができる。
吸音材は連結枠内に設けており、外部から吸音材が見え難くいので、外観が良い。
連結枠に吸音材を設けカバー部内に枠内空気層を設けているから、内窓及び外窓のそれぞれを、引き違いサッシや嵌め殺サッシ等の各種の窓種を任意に選択して施行することができる。
吸音材の種類や量、窓間隔等が異なる連結枠を用いたり、枠内空気層の体積や形状が異なるカバー部を用いることにより、異なる遮音性能の要求に容易に対応することができる。
既存の外窓に連結枠を取付け、連結枠に内窓のカバー部を取付けることにより簡単に遮音性の高い二重サッシにすることができる。
連結枠に開口を形成しているので、連結枠を軽量且つ小型にできる。また、カバー部を内窓に設けているので、内窓の取付けにより連結枠の開口を閉塞できると共に、別にカバー材を設けなくて済むので部品点数を少なくできる。
【発明を実施するための最良の形態】
【００１２】
以下に、添付図面を参照して本発明の実施の形態を説明するが、まず図１〜図３を参照して第１実施の形態について説明する。図１は本発明の第１実施の形態にかかる二重サッシの縦断面図であり、図２は本発明の第１実施の形態にかかる二重サッシの右側部分の横断面図であり、図３は本発明品の遮音効果試験の結果を比較例と共に示すグラフである。尚、以下の説明において、二重サッシの左側部分は右側部分と略同じ構成の為、左側部分の横断面図は省略する。
本実施の形態にかかる二重サッシ１は、外窓３と、内窓５と、外窓３と内窓５とを連結する連結枠７とを備えており、外窓３と内窓５と連結枠７とで中間空気層８を形成している。尚、本実施の形態では、既存の外窓３の室内側に内窓５を連結枠７で後付けすることにより、二重サッシ１にしている。
外窓３は、引き違いサッシであり、躯体開口部９に固定した窓枠（外窓枠）１１と、障子１３、１３とを有している。外窓３の窓枠１１及び障子１３、１３の框は金属製であり、障子パネルは単板ガラスである。
内窓５は、引き違いサッシであり、外窓３の室内側に設けている。内窓５は、窓枠（内窓枠）１５と、引戸障子１７、１７とを有している。内窓５は枠１５、障子１７の框及び障子パネルを全て樹脂製としてある。
連結枠７は、上枠１９、下枠２１、左右の竪枠２３とを備えており、上枠１９と左右の枠２３、２３には、内部に吸音材２５と枠内空気層２７とを有している。連結枠７は連結枠本体７ａとカバー材７ｂとから構成されており、連結枠本体７ａには吸音材２５が収納されている。連結枠本体７ａの室内側には開口３３が設けてあり、開口３３をカバー材７ｂで閉じて枠内空気層２７を形成している。
吸音材２５は内周側面２５ａが中間空気層８に連通し、室内側面２５ｂが枠内空気層２７に連通している。
連結枠本体７ａは、外窓３の窓枠１１と内窓５の窓枠１５に取付けてあると共に、躯体開口部９に固定してある。連結枠本体７ａには、カバー材７ｂとの係止部２９が設けてあり、連結枠本体７ａは係止部２９とねじ止め部３１とでカバー材７ｂを固定している。
連結枠７の内周側壁には、吸音材２５の脱着孔３９が設けてある。脱着孔３９には、目板４１が着脱自在に取付けてあり、吸音材２５を隠蔽している。
目板４１はパンチングメタルであり複数の連通口４２が形成されており、吸音材２５と中間空気層８との連通が図られている。
吸音材２５は、発泡コンクリートやセラミック等の剛性吸音材であり且つ略直方体形状を成している。
【００１３】
次に、本実施の形態にかかる二重サッシ１の作用及び効果について説明する。
本実施の形態によれば、既存の外窓３に連結枠７を用いて内窓５を取付けることにより簡単に二重サッシ１にすることができる。
二重サッシ１において、中間空気層８に伝播した音は、目板４１から連結枠７の内部に設けた吸音材２５に伝播して減衰されると共に、吸音材２５を通過して連結枠７の内部で吸音材２５の室内側にある枠内空気層２７でも減衰されるので、遮音性能を高めることができる。特に、吸音材２５で遮音し難い周波数（例えば、低周波数）の遮音を枠内空気層２７で減衰できるので、各周波数の音でもバランス良く遮音できる。
本実施の形態では、中間空気層８の音エネルギーが吸音材２５で減衰されて枠内空気層２７へ移動して枠内空気層２７で減衰され、再度吸音材２５を通って減衰されて中間空気層８に戻って減衰されるという工程を繰り返すことによって遮音効果を得ることができる。
また、中間空気層８に伝播した音に限らず、連結枠７に直接伝播した音も連結枠７の内部にある吸音材２５、枠内空気層２７で減衰できるので高い遮音効果を得ることができる。
尚、本実施の形態において、連結枠７の枠内空気層２７の容積を増せば、より遮音効果を高めることができる。
吸音材２５は連結枠７の内部に設けており、外部から見え難くいので、外観が良い。また、吸音材２５は連結枠７の内部に納めることにより、形状、材質等の制限が少なくでき使用する吸音材２５の自由度が高い。
連結枠７に吸音材２５と枠内空気層２７を設けているから、外窓３及び内窓５の各々を、上げ下げサッシや嵌め殺サッシ等の各種の窓種を選択して施行することができる。
吸音材２５の種類や量、空気層の形状や体積、窓間隔等が異なる連結枠７を用いることにより、異なる遮音性能の要求に容易に対応することができる。
連結枠７を連結枠本体７ａとカバー材７ｂとで構成し、連結枠を複数の部材に分割しているので、施行やメンテナンス時に取扱う部材を小型にできるから施行やメンテナンスが簡単である。また、カバー材７ｂを外して連結枠７内を露出できるので、連結枠７内のメンテナンスがし易い。尚、本実施の形態では、カバー材７ｂの室内側に額縁があるので、室内側から額縁を外してからカバー材７ｂを外すが、カバー材７ｂが室内側に露出しているときには、室内側からカバー材７ｂを直接外すことができる。
カバー材７ｂに形状や寸法が異なるものを用いることにより、枠内空気層２７の形状や容積を変えることができ、遮音効果の調整が容易にできる。
連結枠本体７ａに開口３３を形成しているので、連結枠本体７ａを軽量且つ小型にできる。
吸音材２５が目板４１により連結枠７の内周側から隠蔽されているので、更に外観が良いと共に、目板４１が脱着自在であるから吸音材２５のメンテナンスが容易である。
【００１４】
次に、上述した実施品（本発明品）と比較例品１、比較例品２とについて遮音効果試験を行ったので、その試験及び結果について説明する。
上述した実施例の外窓３のみを比較例品１とし、上述した二重サッシにおいて連結枠７に吸音材２５を設けないものを比較例品２とした。
外窓３と内窓５との間の中間空気層は６４ｍｍとした。
尚、吸音材２５は上枠及び竪枠における各断面積が各々７５ｍｍ×５０ｍｍであり、枠内空気層２７に上枠及び竪枠における断面積が各々約３５ｍｍ×４０ｍｍである。
上記本発明品と比較例品１及び２について、ＪＩＳ Ａ １４１６に規定する測定方法に基づいて各周波数毎に音響透過損失を測定したので、その結果を図３のグラフに示す。尚、図３のグラフにおいて、●は本発明品であり、■は比較例品１、○は比較例品２である。
【００１５】
図３から明らかなように、本発明品は比較例品１との比較においては、低周波域（周波数１２５Ｈｚ〜約４００Ｈｚ）及びコインシデンス領域（周波数２５３０Ｈｚ近辺の高周波域）において音響透過損失に優れると共に、全周波数領域においても比較例品１及び比較例品２よりも音響透過損失が高く、遮音効果に優れることが明らかである。
尚、図３において、Ｔ−１〜Ｔ−６で示すのは、遮音性能の適合等級（Ｔ−１〜Ｔ−４まではＪＩＳ  Ａ  ４７０６に規定してあり、Ｔ−５はＴ−４等級線の各周波数に５ｄＢを加算することにより設定し、Ｔ−６は及びＴ−５等級線の各周波数に５ｄＢを加算することにより設定した）である。遮音性能の適合等級について、本発明品はＴ−６の適合等級であった。
【００１６】
次に、図４及び図５を参照して本発明の第２実施の形態について説明する。図４は本発明の第２実施の形態にかかる二重サッシの縦断面図であり、図５は本発明の第２実施の形態にかかる二重サッシの横断面図である。尚、以下の説明においては、上述した第１実施の形態と同一の作用効果を奏する部分には同一の符号を付することによりその部分の詳細な説明を省略し、第１実施の形態と異なる点を主に説明する。
第２実施の形態にかかる二重サッシ１において、連結枠７には室内側に開口する開口３３を設けており、内窓５の窓枠１５には開口３３を塞ぐカバー部７ｂが一体に設けてある。また、第２実施の形態では、内窓５は外窓３と同様に枠及び框を金属製として障子面をガラスとしてある。
この第２実施の形態においても上述した第１実施の形態と同様の作用効果を奏すると共に連結枠７に開口３３を形成しているので、連結枠７を軽量且つ小型にできる。また、カバー部７ｂを内窓５の枠に一体に設けているので、部品点数を少なくできると共に内窓５の取付けにより連結枠７の開口３３を閉塞できる。
【００１７】
本発明は、上述した実施の形態に限らず、本発明の要旨を逸脱しない範囲で種々変形可能である。
例えば、連結下枠２１にも吸音材２５及び枠内空気層２７を設けてもよい。
外窓３及び内窓５は、両方又は一方を嵌め殺し障子としてもよいし、両方又は一方を上げ下げ障子や開き障子としてもよいし、外窓３と内窓５の窓種は問わない。
吸音材２５は、グラスウールやロックウール等の繊維系吸音材や、薄膜吸音材、穴あき板、スリット板やこれらを複合して用いたものであってもよい。
また、吸音材２５及び枠内空気層２７は連結上枠２１のみや連結竪枠２３のみに配置してもよい。
目板４１は、パンチングメタルに限らず、網材やスリット板であってもよく、中間空気層と吸音材２５を連通させるものであればよい。また、目板４１は設けないで、連結枠の内周側面に連通口を設けて吸音材２５と中間空気層８とを連通するものであってもよい。
【図面の簡単な説明】
【００１８】
【図１】本発明の第１実施の形態にかかる二重サッシの縦断面図である。
【図２】本発明の第１実施の形態にかかる二重サッシの右側部分を示す横断面図である。
【図３】本発明品の遮音効果試験の結果を比較例と共に示すグラフである。
【図４】本発明の第２実施の形態にかかる二重サッシの縦断面図である。
【図５】本発明の第２実施の形態にかかる二重サッシの横断面図である。
【符号の説明】
【００１９】
１      二重サッシ
３      外窓
５      内窓
７      連結枠
７ａ    連結枠本体
７ｂ    カバー材（カバ−部）
８      中間空気層
１５    内窓の窓枠
１９    上枠
２１    下枠
２５    吸音材
２５ａ  内周側面
２５ｂ  室内側面
２５ｃ  室外側面
２５ｄ  外周側面
２７    枠内空気層
３３    開口
【図１】
0004552812.tif 000002
【図２】
0004552812.tif 000003
【図３】
0004552812.tif 000004
【図４】
0004552812.tif 000005
【図５】
0004552812.tif 000006